(57)【要約】【課題】特許文献１の位置情報提供システムでは、災害発生時、位置情報提供サーバに負荷が集中してしまうという課題があった。【解決手段】位置情報提供システムは、複数の基地局各々と接続された位置情報提供装置を備える位置情報提供システムであって、前記基地局は、Ｐ波（Ｐｒｉｍａｒｙ  Ｗａｖｅ）を感知すると、配下のセルに対応する識別子、すなわちセルＩＤを含む第１のメッセージを出力し、前記位置情報提供装置は、接続された基地局から前記基地局配下のセルに対応する識別子、すなわち前記セルＩＤを含む前記第１のメッセージが入力されると、予め前記セルＩＤに対応づけて登録されている、前記セルに在圏する第１の端末の識別情報と第２の端末の識別情報を取得し、前記第２の端末に対して、前記セルＩＤと前記第１の端末の識別情報を含む第３のメッセージを出力する。【選択図】      図１３
2014192786.tif 000002
【特許請求の範囲】
【請求項１】
Ｐ波（Ｐｒｉｍａｒｙ  Ｗａｖｅ）を感知すると、配下のセルに対応する識別子、すなわちセルＩＤを含む第１のメッセージを出力する、
ことを特徴とする基地局。
【請求項２】
前記Ｐ波を感知してからＳ波（Ｓｅｃｏｎｄａｒｙ  Ｗａｖｅ）を感知するまでの時間を計測し、計測した前記時間を基に、震源からの距離を算出し、前記震源からの距離が所定距離以下の場合に、前記セルＩＤを含んだ、震源に近いことを示す第２のメッセージを出力する、
ことを特徴とする請求項１に記載の基地局。
【請求項３】
前記震源に近いことを示す第２のメッセージに、前記震源からの距離を含める、
ことを特徴とする請求項２に記載の基地局。
【請求項４】
接続された基地局から前記基地局配下のセルに対応する識別子、すなわちセルＩＤを含む第１のメッセージが入力されると、予め前記セルＩＤに対応づけて登録されている、前記セルに在圏する第１の端末の識別情報と第２の端末の識別情報を取得し、前記第２の端末に対して、前記セルＩＤと前記第１の端末の識別情報を含む第３のメッセージを出力する、
ことを特徴とする位置情報提供装置。
【請求項５】
前記セルＩＤを含んだ、前記震源に近いことを示す第２のメッセージが入力されると、予め前記セルＩＤに対応づけて登録されている前記第１の端末の識別情報と前記第２の端末の識別情報を取得し、前記第２の端末に対して、前記第１の端末が震源に近い場所にいることを示す第４のメッセージを出力する、
ことを特徴とする請求項４に記載の位置情報提供装置。
【請求項６】
前記位置情報提供装置は、移動通信システムのコアネットワーク上に配置され、移動通信端末の位置情報を管理する装置、又は、前記位置情報を管理する装置に接続された装置である、
ことを特徴とする請求項４乃至５のいずれか１項に記載の位置情報提供装置。
【請求項７】
複数の基地局各々と接続された位置情報提供装置を備える位置情報提供システムであって、
前記基地局は、請求項１乃至３のいずれか１項に記載の基地局であり、
前記位置情報提供装置は、請求項４乃至６のいずれか１項に記載の位置情報提供装置である、
ことを特徴とする位置情報提供システム。
【請求項８】
前記第１の端末は、自身が在圏するセルに対応する識別子、すなわちセルＩＤを検出し、前記第１の端末を示す識別情報、および前記第２の端末を示す識別情報が入力されると、前記セルＩＤ、前記第１の端末を示す識別情報、および前記第２の端末を示す識別情報を含む位置情報登録要求メッセージを前記基地局に出力し、
前記基地局は、前記位置情報登録要求メッセージが入力されると、前記位置情報登録要求メッセージを前記位置情報提供装置に出力し、
前記位置情報提供装置は、入力される前記位置情報登録要求メッセージから前記セルＩＤ、前記第１の端末を示す識別情報、および前記第２の端末を示す識別情報を抽出し、前記セルＩＤに、前記第１の端末を示す識別情報と前記第２の端末を示す識別情報とを対応づけて記憶媒体に登録する、
ことを特徴とする請求項７に記載の位置情報提供システム。
【請求項９】
前記位置情報提供システムは、前記位置情報提供装置と通信を行う提供先端末を備え、
前記提供先端末は、前記セルＩＤと前記端末の識別情報を含む前記第３のメッセージが入力されると、前記セルＩＤと前記端末の識別情報を、自身に備わる画面上に表示する、
ことを特徴とする請求項７乃至８のいずれか１項に記載の位置情報提供システム。
【請求項１０】
Ｐ波を感知した基地局から、前記基地局配下のセルに対応する識別子、すなわちセルＩＤが入力されると、予め前記セルＩＤに対応づけて登録されている、前記セルに在圏する第１の端末の識別情報と第２の端末の識別情報を取得し、前記第２の端末に対し、前記セルＩＤと前記第１の端末の識別情報を含むメッセージを出力する、
ことを特徴とする位置情報提供方法。
【発明の詳細な説明】
【技術分野】
【０００１】
本発明は、基地局、位置情報提供装置、位置情報提供システム、位置情報提供方法に関し、特に、災害時に被災者の位置情報を端末に提供する基地局、位置情報提供装置、位置情報提供システム、位置情報提供方法に関する。
【背景技術】
【０００２】
一般的に、地震等の災害が発生したときに、被災者の位置情報を、被災者の親や知人等の端末に通知する位置情報提供システムが知られている。位置情報を端末に提供する位置情報提供システムが、以下の特許文献１に開示されている。
【０００３】
特許文献１の位置情報提供システムは、移動体通信網を介して接続可能な移動通信端末と、位置情報提供サーバとを備える。移動通信端末は、災害情報受信手段と、送信手段とを備える。上述の災害情報受信手段は、災害に関する災害情報を受信する。また、上述の送信手段は、災害情報受信手段によって災害情報が受信されたときに、自端末を特定するための第一端末識別情報と、自端末の現在位置情報を他端末に対して提供するように要求する位置情報提供要求情報とを位置情報提供サーバに送信する。一方、位置情報提供サーバは、受信手段と、端末識別情報取得手段と、在圏エリア情報送信手段とを備える。受信手段は、第一端末識別情報および位置情報提供要求情報を受信する。また、端末識別情報取得手段は、受信手段によって受信された第一端末識別情報を用いて、第一端末識別情報に対応付けて予め登録されている他端末を特定するための第二端末識別情報を取得する。さらに、在圏エリア情報送信手段は、自端末が在圏する在圏エリア情報を、端末識別情報取得手段によって取得された第二端末識別情報に対応する移動通信端末宛に送信する。
【０００４】
次に、特許文献１の位置情報提供システムは、例えば、以下の通りに動作する。
【０００５】
まず、移動通信端末の災害情報受信手段は、災害の発生に起因して、災害に関する災害情報を受信する。次に、移動通信端末の送信手段は、災害情報受信手段が災害情報を受信すると、自端末を特定するための第一端末識別情報と、自端末の現在位置情報を他端末に対して提供するように要求する位置情報提供要求情報とを位置情報提供サーバに送信する。次に、位置情報提供サーバの端末識別情報取得手段は、受信手段によって、移動通信端末から第一端末識別情報および位置情報提供要求情報を受信すると、第一端末識別情報に対応付けて予め登録されている他端末を特定するための第二端末識別情報を取得する。第二端末識別情報は、親や知人の移動通信端末の電話番号であってもよい。位置情報提供サーバは、在圏エリア情報送信手段によって、第二端末識別情報に対応する移動通信端末宛、例えば親や知人の移動通信端末宛に、第一の移動通信端末が在圏する在圏エリア情報を送信する。
【０００６】
上述の構成や動作の通り、特許文献１の位置情報提供システムは、災害時、被災者の端末が在圏するエリア情報、すなわち被災者の位置情報を、予め登録された親や知人の移動通信端末宛に送信することができる。
【先行技術文献】
【特許文献】
【０００７】
【特許文献１】特開２００８−２１９７９７号公報
【発明の概要】
【発明が解決しようとする課題】
【０００８】
しかし、特許文献１の位置情報提供システムでは、災害発生時、位置情報提供サーバに負荷が集中してしまうという課題があった。その理由を以下に説明する。なお、図１は、特許文献１の位置情報提供システムの動作を説明する為の図である。
【０００９】
まず、特許文献１の位置情報提供システムは、移動通信端末を複数、備えることができる。特許文献１には、移動通信端末を１台に限定する旨の記載がないからである。そして、複数の移動通信端末が災害の発生するエリアに存在するとき、それらの移動通信端末は、災害が発生すると、同時に災害情報を受信し、一斉に位置情報提供要求情報等を位置情報提供サーバに送信してしまう。その為、位置情報提供サーバは、図１に示されるように、各移動通信端末から一斉に送信された位置情報提供要求情報等を受信することとなる。その結果、位置情報提供サーバは、予め登録された移動通信端末宛に位置情報を送信する処理（以下、「位置情報通知処理」という）を、災害の発生したエリアの全移動通信端末分、同時に実施することになり、負荷が集中してしまう。
【００１０】
本発明は、上記課題を解決する基地局、位置情報提供装置、位置情報提供システム、位置情報提供方法を提供することを目的とする。
【課題を解決するための手段】
【００１１】
上記目的を達成するために、本発明の基地局は、Ｐ波（Ｐｒｉｍａｒｙ  Ｗａｖｅ）を感知すると、配下のセルに対応する識別子、すなわちセルＩＤを含む第１のメッセージを出力する。
【００１２】
上記目的を達成するために、本発明の位置情報提供装置は、接続された基地局から前記基地局配下のセルに対応する識別子、すなわちセルＩＤを含む第１のメッセージが入力されると、予め前記セルＩＤに対応づけて登録されている、前記セルに在圏する第１の端末の識別情報と第２の端末の識別情報を取得し、前記第２の端末に対して、前記セルＩＤと前記第１の端末の識別情報を含む第３のメッセージを出力する。
【００１３】
上記目的を達成するために、本発明の位置情報提供システムは、複数の基地局各々と接続された位置情報提供装置を備える位置情報提供システムであって、前記基地局は、Ｐ波（Ｐｒｉｍａｒｙ  Ｗａｖｅ）を感知すると、配下のセルに対応する識別子、すなわちセルＩＤを含む第１のメッセージを出力し、前記位置情報提供装置は、接続された基地局から前記基地局配下のセルに対応する識別子、すなわち前記セルＩＤを含む前記第１のメッセージが入力されると、予め前記セルＩＤに対応づけて登録されている、前記セルに在圏する第１の端末の識別情報と第２の端末の識別情報を取得し、前記第２の端末に対して、前記セルＩＤと前記第１の端末の識別情報を含む第３のメッセージを出力する。
【００１４】
上記目的を達成するために、本発明の位置情報提供方法は、Ｐ波を感知した基地局から、前記基地局配下のセルに対応する識別子、すなわちセルＩＤが入力されると、予め前記セルＩＤに対応づけて登録されている、前記セルに在圏する第１の端末の識別情報と第２の端末の識別情報を取得し、前記第２の端末に対し、前記セルＩＤと前記第１の端末の識別情報を含むメッセージを出力する。
【発明の効果】
【００１５】
本発明によれば、位置情報提供システムは、地震発生時、位置情報提供装置に負荷が集中しないように被災者の位置情報を、被災者の親や知人等の端末に提供することができる。
【図面の簡単な説明】
【００１６】
【図１】特許文献１の位置情報提供システムの動作を説明する為の図である。
【図２】本発明の第１の実施の形態における位置情報提供システムの構成例を示す図である。
【図３】本発明の第１の実施の形態における位置情報提供システムの位置情報提供装置１２に備わる位置情報通知機能部１２０の構成例を示す図である。
【図４】本発明の第１の実施の形態における位置情報提供システムに備わる基地局１００の構成例を示す図である。
【図５】本発明の第１の実施の形態における位置情報提供装置１２が保持する通知先登録テーブルの構成例を示す図である。
【図６】本発明の第１の実施の形態における位置情報提供システムの動作の概要を説明する為の図である。
【図７】本発明の第１の実施の形態における位置情報提供システムの動作（地震発生前の動作）を説明する為の図である。
【図８】本発明の第１の実施の形態における位置情報提供システムの動作（地震発生時の動作）を説明する為の図である。
【図９】本発明の第２の実施の形態における位置情報提供システムの構成例を示す図である。
【図１０】本発明の第２の実施の形態における位置情報提供システムの位置情報提供装置２２に備わる位置情報通知機能部の構成例を示す図である。
【図１１】本発明の第２の実施の形態における位置情報提供システムに備わる基地局２００の構成例を示す図である。
【図１２】本発明の第２の実施の形態における位置情報提供システムの動作（地震発生時の動作）を説明する為の図である。
【図１３】本発明の第３の実施の形態における位置情報提供システムの構成例を示す図である。
【発明を実施するための形態】
【００１７】
本発明の実施形態について、図面を参照して詳細に説明する。
【００１８】
［第１の実施の形態］
［構成の説明］
まず、本発明の第１の実施の形態における位置情報提供システムの構成と機能について説明する。図２は、本発明の第１の実施の形態における位置情報提供システムの構成例を示す図である。
【００１９】
（１）本発明の第１の実施の形態における位置情報提供システムの構成
（１−１）本実施形態の位置情報提供システムの構成
本実施形態の位置情報提供システムは、図２に示されるように、移動通信ネットワーク１と通信ネットワーク２を含んで構成される。移動通信ネットワーク１は、基地局１００と、基地局１１０と、基地局１００のセル１０に在圏する移動端末１０５と、基地局１１０のセル１１に在圏する移動端末１１５とを備える。また、移動通信ネットワーク１は、位置情報提供装置１２を備える。位置情報提供装置１２は、移動通信ネットワークにおいて、移動端末の位置情報を管理するコアネットワーク装置である。例えば、位置情報提供装置１２は、ＭＭＥ（Ｍｏｂｉｌｉｔｙ  Ｍａｎａｇｅｍｅｎｔ  Ｅｎｔｉｔｙ）であってもよいし、ｘＧＳＮ等の交換機であってもよい。ｘＧＳＮは、Ｓｅｒｖｉｎｇ／ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅの略称である。なお、位置情報提供装置１２は、移動端末の位置情報を管理するコアネットワーク装置に接続されたサーバ等の通信装置であってもよい。通信ネットワーク２は、端末２０を備える。
【００２０】
位置情報提供装置１２は、通信ネットワーク２の端末２０と接続される。位置情報提供装置１２は、有線回線を介して端末２０と接続されてもよいし、有線回線と無線回線を介して接続されていてもよい。また、位置情報提供装置１２は、有線回線を介して基地局１００、１１０と接続される。基地局１００は、無線回線を介して移動端末１０５と接続され、基地局１１０は、無線回線を介して移動端末１１５に接続される。
【００２１】
次に、位置情報提供装置１２について、その構成を説明する。
【００２２】
（１−２）本実施形態の位置情報提供システムに備わる位置情報提供装置１２の構成
まず、位置情報提供装置１２は、図２に示されるように、位置情報通知機能部１２０を備える。図３に、位置情報通知機能部１２０の構成例を示す。
【００２３】
位置情報通知機能部１２０は、図３に示されるように、緊急情報受信機能部１２１と、登録制御機能部１２２と、登録情報検索機能部１２３と、送受信制御機能部１２４と、通知先登録テーブル格納部１２５を備える。
【００２４】
各機能部は、図示していないが、互いに接続される。また、緊急情報受信機能部１２１と、登録制御機能部１２２と、送受信制御機能部１２４は、図示していないが、基地局１００、１１０と接続される。さらに、登録情報検索機能部１２３は、通信ネットワーク２の端末２０と接続される。
【００２５】
次に、基地局１００、１１０の構成について説明する。基地局１００、１１０は、同じ構成を備えるので、基地局１００についてのみ説明を行う。図４は、本発明の第１の実施の形態における位置情報提供システムに備わる基地局１００の構成例を示す図である。
【００２６】
（１−３）基地局１００の構成
基地局１００は、図４に示されるように、Ｐ波測定部１０１を備える。Ｐ波測定部１０１は、位置情報提供装置１２の緊急情報受信機能部１２１と接続される。
【００２７】
次に、本実施形態の位置情報提供システムを構成する各部位の機能について説明する。
【００２８】
（２）本実施形態における位置情報提供システムを構成する各部位の機能
（２−１）端末２０の機能
まず、端末２０の機能について説明を行う。端末２０は、一般的な固定端末や携帯端末等と同じく、通信機能を有する。端末２０は、上述の通信機能により、メッセージを受信すると、そのメッセージを、自身に備わる画面上に表示する。なお、端末２０は、以下、被災者の親の端末として説明を行う。
【００２９】
（２−２）移動端末１０５、１１５の機能
次に、移動端末１０５、１１５の機能について説明を行う。移動端末１０５、１１５は、同じ機能を備えるので、移動端末１０５についてのみ説明を行う。
【００３０】
移動端末１０５は、一般的な携帯端末と同様、基地局と無線通信を行う機能を有する。また、移動端末１０５は、一般的な携帯端末と同様、自身が在圏しているセルを示す識別子（以下、「セルＩＤ」という）を報知信号や同期信号から検出する機能を有する。さらに、移動端末１０５は、移動端末１０５のユーザによって、自身を示す番号（以下、「提供元端末番号」という）と、地震発生時に自身の位置情報を提供する端末を示す番号（以下、「提供先端末番号」という）とが設定される。提供元端末番号は、移動端末１０５の電話番号であってもよいし、提供先端末番号は、端末２０の電話番号であってもよい。移動端末１０５は、提供元端末番号と提供先端末番号が設定されると、自身が在圏しているセルのセルＩＤを報知信号や同期信号から検出し、セルＩＤと、提供元端末番号と、提供先端末番号とを、在圏するセルの基地局１００に通知する。移動端末１０５は、上述のセルＩＤ、提供元端末番号、および提供先端末番号（以下、「位置情報通知登録要求」という）を、公知のメッセージ、例えばＭｅａｓｕｒｅｍｅｎｔ  Ｒｅｐｏｒｔに含めて基地局１００に通知してもよい。位置情報通知登録要求を通知するメッセージは、以下「位置情報登録要求メッセージ」という。なお、提供元端末番号は、移動端末１０５を一意に識別できる情報であれば、番号に限らない。また、提供先端末番号も、地震発生時に位置情報を提供する端末を一意に識別できる情報であれば、番号に限らない。さらに、移動端末１０５は、上述の通信機能によって、登録完了したことを示すメッセージを受信すると、提供先端末番号等が位置情報提供装置１２に登録されたことを、自身に備わる画面上に表示する。また、移動端末１０５は、上述の通信機能によって、セルＩＤと提供先端末番号を含むメッセージを受信すると、提供先端末番号の端末に自身の位置情報が通知されたことを、自身に備わる画面上に表示する。
【００３１】
（２−３）基地局１００、１１０の各部位の機能
基地局１００と基地局１１０は、同じ機能を備えるので、基地局１００についてのみ説明を行う。
【００３２】
まず、基地局１００は、一般的な基地局の機能を備える。すなわち、基地局１００は、移動端末１０５、１１５からメッセージを受信し、受信したメッセージを位置情報提供装置１２に出力する。基地局１００は、位置情報提供装置１２から移動端末１０５、１１５宛のメッセージを受信し、そのメッセージを移動端末１０５、１１５に出力する。
【００３３】
基地局１００のＰ波測定部１０１は、Ｐ波（Ｐｒｉｍａｒｙ  Ｗａｖｅ）を感知する機能を有する。Ｐ波測定部１０１は、Ｐ波を感知すると、所定値以上の振幅のＰ波ならば、Ｐ波を検出した旨のメッセージ（以下、「Ｐ波検出メッセージ」という）を位置情報提供装置１２に出力する。上述の所定値は、本実施形態の位置情報提供システムのユーザによって、予め基地局１００に設定される。また、Ｐ波測定部１０１は、Ｐ波検出メッセージに、基地局１００のセル１０に対応するセルＩＤと、Ｐ波の振幅（以下、「震度情報」という）を含める。Ｐ波測定部１０１は、Ｐ波を感知するセンサと、ＣＰＵ（Ｃｅｎｔｒａｌ  Ｐｒｏｃｅｓｓ  Ｕｎｉｔ）を用いて実現される。
【００３４】
（２−４）位置情報提供装置１２の各部位の機能
次に、位置情報提供装置１２の各部位の機能について説明を行う。図５は、本発明の第１の実施の形態における位置情報提供装置１２が保持する通知先登録テーブルの構成例を示す図である。
【００３５】
まず、緊急情報受信機能部１２１は、基地局１００、１１０と通信する通信機能を有する。緊急情報受信機能部１２１は、通信機能によって、上述のＰ波検出メッセージを基地局１００から受信すると、Ｐ波検出メッセージに含まれる、セルＩＤと震度情報を取得する。緊急情報受信機能部１２１は、セルＩＤと震度情報を電気信号として出力する。
【００３６】
登録制御機能部１２２は、上述の位置情報登録要求メッセージが電気信号として入力されると、位置情報登録要求メッセージに含まれるセルＩＤ、提供元端末番号、および提供元端末番号を順に対応づけて取得する。ここで取得したセルＩＤ等は、以下、「テーブル情報」という。また、登録制御機能部１２２は、テーブル情報を取得すると、通知先登録テーブル格納部１２５に格納される通信先登録テーブルを読み出す。通信先登録テーブルは、図５に示されるように、上述のテーブル情報の集合データである。登録制御機能部１２２は、通信先登録テーブルを読み出すと、取得したテーブル情報を通信先登録テーブルに追加する。但し、登録制御機能部１２２は、通信先登録テーブルの中に、取得したテーブル情報の提供元端末番号と同じ提供元端末番号があった場合には、その提供元端末番号に関するテーブル情報を、取得したテーブル情報で上書き更新する。登録制御機能部１２２は、追加、若しくは更新した通信先登録テーブルを通知先登録テーブル格納部１２５に書き込む（以下、「登録する」という）。なお、登録制御機能部１２２は、テーブル情報を通信先登録テーブルに追加、若しくは更新する際、自身に備わる計時機能によって時刻を計測し、テーブル情報と併せて更新時刻も通信先登録テーブルに追加、若しくは更新する。登録制御機能部１２２は、通信先登録テーブルを通知先登録テーブル格納部１２５に書き込むと、登録完了したことを示すメッセージを電気信号として出力する。
【００３７】
登録情報検索機能部１２３は、セルＩＤと震度情報を含む電気信号が入力されると、電気信号からセルＩＤと震度情報をそれぞれ抽出し、さらに通知先登録テーブル格納部１２５に格納されている通信先登録テーブルを読み出す。登録情報検索機能部１２３は、通信先登録テーブルを読み出すと、読み出した通信先登録テーブルから、抽出したセルＩＤに対応づけられている提供元端末番号と提供先端末番号を取得する。登録情報検索機能部１２３は、提供元端末番号と提供先端末番号を取得すると、抽出したセルＩＤと提供元端末番号を含むメッセージを作成する。登録情報検索機能部１２３は、一般的な交換機と同様、入力された電話番号を基に、その番号の端末と接続する交換機能を有する。登録情報検索機能部１２３は、接続した端末に作成したメッセージを出力する。なお、登録情報検索機能部１２３は、上述のメッセージに震度情報を含めてもよい。さらに、登録情報検索機能部１２３は、取得したセルＩＤと提供先端末番号を含む、提供元端末番号の端末宛のメッセージを作成し、セルＩＤと共に出力する。
【００３８】
送受信制御機能部１２４は、基地局１００を介して移動端末１０５と通信を行う。さらに、送受信制御機能部１２４は、基地局１１０を介して移動端末１１５と通信を行う。その為に、送受信制御機能部１２４は、本実施形態の位置情報提供システムのユーザによって、セルＩＤと、セルＩＤに対応するセルを備える基地局とが対応づけられたテーブルが設定される。送受信制御機能部１２４は、セルＩＤと共にメッセージが入力されると、セルＩＤに対応するセルを備える基地局を上述のテーブルから求め、求めた基地局に対し、入力されたメッセージを出力する。送受信制御機能部１２４は、基地局から受信したメッセージを電気信号として出力する。
【００３９】
通知先登録テーブル格納部１２５は、上述の通信先登録テーブルを格納するデータベースである。
【００４０】
各機能部は、電子回路やＣＰＵ（Ｃｅｎｔｒａｌ  Ｐｒｏｃｅｓｓ  Ｕｎｉｔ）、ＲＡＭ（Ｒａｎｄａｍ  Ａｃｃｅｓｓ  Ｍｅｍｏｒｙ）等の記憶媒体を用いて実現される。
【００４１】
［動作の説明］
まず、本実施形態の位置情報提供システムの動作の概要を説明する。図６は、本発明の第１の実施の形態における位置情報提供システムの動作の概要を説明する為の図である。
【００４２】
（１）本実施形態の位置情報提供システムの動作の概要
本実施形態における位置情報提供システムの各基地局は、Ｐ波を感知する機能を有し、地震発生によりＰ波を感知すると、図６に示されるように、自身に備わるセルに対応する識別子、すなわちセルＩＤを位置情報提供装置１２に通知する。このとき、震源に近い基地局の方がＰ波の到達が早い為、震源に近い基地局から順番に、時間差をおいてセルＩＤが位置情報提供装置に通知される。一方、位置情報提供装置１２は、セルＩＤが基地局から通知されると、セルＩＤに対応するセルに在圏する端末について、上述の位置情報通知処理（すなわち、予め登録された親や知人等の移動通信端末宛に各端末の位置情報を送信する処理）を実施する。その為、位置情報提供装置は、地震発生時、震源に近いセルに在圏する端末から順番に、時間差をおいて、位置情報通知処理を実施することとなる。すなわち、位置情報提供装置が、地震が発生したエリアの全端末分、同時に位置情報通知処理を実施することがなく、自身に負荷が集中せずに、各端末の位置情報を、親や知人等の端末に提供できる。
【００４３】
以下に、本発明の第１の実施の形態における位置情報提供システムの動作の詳細を説明する。なお、詳細な動作の説明は、地震発生前と地震発生時に分けて行う。図７は、本発明の第１の実施の形態における位置情報提供システムの動作（地震発生前の動作）を説明する為の図である。また、図８は、本発明の第１の実施の形態における位置情報提供システムの動作（地震発生時の動作）を説明する為の図である。
【００４４】
（２）本実施形態の位置情報提供システムの地震発生前の動作
本実施形態の位置情報提供システムの地震発生前の動作を説明する。
【００４５】
本実施形態の位置情報提供システムは、地震発生前に、各移動端末の位置情報（具体的には、在圏するセルのセルＩＤ）と、その位置情報を通知する端末を示す番号を、位置情報提供装置１２に登録する。以下に、その動作の詳細を、移動端末１０５の場合を例に説明する。以下では、移動端末１０５を例に説明するが、他の移動端末でも同じである。
【００４６】
（２−１）本実施形態の位置情報提供システムの移動端末への設定
まず、本実施形態の移動端末１０５には、そのユーザによって、自身を示す番号（以下、「提供元端末番号」という）と、地震発生時に自身の位置情報を通知する端末を示す番号（以下、「提供先端末番号」という）とが設定される。
【００４７】
ここでは、移動端末１０５のユーザによって、提供元端末番号として移動端末１０５の電話番号が、提供先端末番号として親の端末２０の電話番号が、移動端末１０５に設定されたとして説明を続ける。
【００４８】
なお、本実施形態の移動端末１０５のユーザは、地震発生時に自身の位置情報を親等の端末に通知することを希望しない場合には、提供元端末番号と提供先端末番号を移動端末１０５に設定しない。
【００４９】
（２−２）本実施形態の位置情報提供システムの地震発生前の動作
次に、移動端末１０５は、図示していないが、提供元端末番号と提供先端末番号が設定されると、一般的な携帯端末と同様に、自身が在圏しているセル１０のセルＩＤを、基地局から送信される報知信号、若しくは同期信号から検出する。検出したセルＩＤは、セル１０を表わすので位置情報である。
【００５０】
次に、移動端末１０５は、図７に示されるように、検出した位置情報、すなわちセル１０のセルＩＤと、設定された提供元端末番号と、提供先端末番号とを（以下、「位置情報通知登録要求」という）、位置情報提供装置１２に通知する（Ｓ１）。
【００５１】
具体的には、移動端末１０５は、位置情報通知登録要求、すなわち、検出したセル１０のセルＩＤ、提供元端末番号、および提供先端末番号をメッセージに含めて基地局１００に出力する。移動端末１０５は、位置情報通知登録要求を、公知のメッセージであるＭｅａｓｕｒｅｍｅｎｔ  Ｒｅｐｏｒｔに含めて基地局１００に通知してもよい。基地局１００は、位置情報通知登録要求を含むメッセージを受信すると、そのメッセージを位置情報提供装置１２に通知する。
【００５２】
位置情報通知登録要求を含むメッセージは、以下、「位置情報登録要求メッセージ」という。
【００５３】
次に、位置情報提供装置１２は、位置情報登録要求メッセージが通知されると、位置情報登録要求メッセージに含まれる位置情報登録要求、すなわちセルＩＤ、提供元端末番号、および提供元端末番号を順に対応づけて取得する（Ｓ２）。ここで対応づけて取得したセルＩＤ等は、以下、「テーブル情報」という。
【００５４】
具体的には、位置情報提供装置１２の送受信制御機能部１２４が、位置情報登録要求メッセージを受信すると、そのメッセージを電気信号として登録制御機能部１２２に出力する。次に、登録制御機能部１２２は、入力された電気信号に含まれる位置情報登録要求メッセージを取得し、さらに位置情報登録要求メッセージに含まれるセル１０のセルＩＤ、提供元端末番号と、提供先端末番号を順に対応づけて、テーブル情報として取得する。
【００５５】
次に、位置情報提供装置１２は、テーブル情報を取得すると、自身が保持する通信先登録テーブルを読み出す（Ｓ３）。
【００５６】
具体的には、位置情報提供装置１２の登録制御機能部１２２が、テーブル情報を取得すると、通知先登録テーブル格納部１２５に格納される通信先登録テーブルを読み出す。通信先登録テーブルは、「（２−４）位置情報提供装置１２の各部位の機能」に上述した通り、図５に示されるような、テーブル情報の集合データである。
【００５７】
次に、位置情報提供装置１２は、取得したテーブル情報を、読み出した通信先登録テーブルに反映し、反映した通信先登録テーブルを保持する（以下、「登録する」という）（Ｓ４）。
【００５８】
具体的には、位置情報提供装置１２の登録制御機能部１２２が、取得したテーブル情報を、読み出した通信先登録テーブルに追加する。但し、登録制御機能部１２２は、通信先登録テーブルの中に、取得したテーブル情報の提供元端末番号と同じ提供元端末番号があった場合には、その提供元端末番号に関するテーブル情報を、取得したテーブル情報で上書き更新する。登録制御機能部１２２は、追加、若しくは更新した通信先登録テーブルを通知先登録テーブル格納部１２５に書き込む。なお、登録制御機能部１２２は、テーブル情報を通信先登録テーブルに追加、若しくは更新する際、自身に備わる計時機能によって時刻を計測し、テーブル情報と併せて計測した時刻も通信先登録テーブルに追加、若しくは更新する。
【００５９】
上述のＳ１〜Ｓ４の結果、通信先登録テーブルに、位置情報であるセル１０のセルＩＤと、提供元端末番号である移動端末１０５の電話番号と、提供先端末番号である端末２０の電話番号とが、対応づけて登録される。
【００６０】
次に、位置情報提供装置１２は、移動端末１０５に対し、提供先端末番号等が登録完了したことを示すメッセージ（以下、「登録完了メッセージ」という）を、基地局１００を介して、移動端末１０５に通知する（Ｓ５）。
【００６１】
具体的には、位置情報提供装置１２の登録制御機能部１２２は、通信先登録テーブルを通知先登録テーブル格納部１２５に書き込むと、提供元端末番号の端末、すなわち移動端末１０５宛の登録完了メッセージを作成する。次に、登録制御機能部１２２は、セル１０のセルＩＤと共に、登録完了メッセージを送受信制御機能部１２４に出力する。ここで、送受信制御機能部１２４には、「（２−４）位置情報提供装置１２の各部位の機能」に上述した通り、セルＩＤと、セルＩＤに対応するセルを備える基地局とが対応づけられたテーブルが予め設定されている。ここでは、上述のテーブルに、入力されたセル１０のセルＩＤに対応する基地局として、基地局１００が設定されているものとする。送受信制御機能部１２４は、セル１０のセルＩＤと共に、移動端末１０５宛の登録完了メッセージが入力されると、セル１０のセルＩＤに対応する基地局１００を上述のテーブルから求め、求めた基地局１００に対し、移動端末１０５宛の登録完了メッセージを出力する。基地局１００は、移動端末１０５宛の登録完了メッセージを受信すると、登録完了メッセージを移動端末１０５に通知する。
【００６２】
次に、移動端末１０５は、登録完了メッセージを受信すると、提供先端末番号等が位置情報提供装置１２に登録されたことを、自身に備わる画面上に表示する（Ｓ６）。
【００６３】
なお、移動端末１０５は、移動端末１０５のユーザによって提供先端末番号が設定されたにも関わらず、提供元端末番号が設定されない場合には、ＳＩＭカードに記憶されている識別情報、例えば電話番号を、提供元端末番号として用いてもよい。ＳＩＭは、Ｓｕｂｓｃｒｉｂｅｒ  Ｉｄｅｎｔｉｔｙ  Ｍｏｄｕｌｅ  Ｃａｒｄの略称である。
【００６４】
さらに、移動端末１０５は、ハンドオーバを実施し、他のセルに移動したときに、移動先のセルのセルＩＤを報知信号や同期信号から検出し、再度、上述のＳ１を実施し、位置情報通知登録要求を位置情報提供装置１２に通知してもよい。
【００６５】
（３）本実施形態の位置情報提供システムの地震発生時の動作
本実施形態の位置情報提供システムの地震発生時の動作を以下に説明する。なお、以下では、図６に示されるように、セル１０が最も震源に近いセルであるものとして、説明を行う。
【００６６】
まず、基地局１００のＰ波測定部１０１は、地震発生によりＰ波を感知すると、所定値以上の振幅のＰ波ならば、図８に示されるように、Ｐ波を検出した旨のメッセージ（以下、「Ｐ波検出メッセージ」という）を位置情報提供装置１２に出力する（Ｓ１０）。
【００６７】
このとき、基地局１００のＰ波測定部１０１は、Ｐ波検出メッセージに、基地局１００に備わるセル１０を示す識別子、すなわちセルＩＤと、Ｐ波の振幅（以下、「震度情報」という）を含めて位置情報提供装置１２に出力する。上述の所定値は、本実施形態の位置情報提供システムのユーザによって、予め基地局１００に設定される。
【００６８】
次に、位置情報提供装置１２は、Ｐ波検出メッセージを基地局１００から受信すると、Ｐ波検出メッセージに含まれるセル１０のセルＩＤと震度情報を取得する（Ｓ１１）。
【００６９】
具体的には、位置情報提供装置１２の緊急情報受信機能部１２１が、Ｐ波検出メッセージを基地局１００から受信すると、Ｐ波検出メッセージに含まれるセル１０のセルＩＤと震度情報を取得する。緊急情報受信機能部１２１は、取得したセル１０のセルＩＤと震度情報を電気信号として、登録情報検索機能部１２３に出力する。登録情報検索機能部１２３は、セル１０のセルＩＤと震度情報を含む電気信号が緊急情報受信機能部１２１から入力されると、電気信号からセル１０のセルＩＤと震度情報を取得する。
【００７０】
次に、位置情報提供装置１２は、セル１０のセルＩＤと震度情報を取得すると、自身が保持する通信先登録テーブルから、取得したセル１０のセルＩＤに対応づけられている提供元端末番号と提供先端末番号を取得する（Ｓ１２）。
【００７１】
具体的には、位置情報提供装置１２の登録情報検索機能部１２３は、セル１０のセルＩＤと震度情報を取得すると、通知先登録テーブル格納部１２５に格納されている通信先登録テーブルを読み出す。登録制御機能部１２２は、通信先登録テーブルを読み出すと、読み出した通信先登録テーブルから、抽出したセル１０のセルＩＤに対応づけられている提供元端末番号と提供先端末番号を取得する。
【００７２】
現在、通信先登録テーブルは、セル１０のセルＩＤと、提供元端末番号である移動端末１０５の電話番号と、提供先端末番号である端末２０の電話番号とが、対応づけられて登録されたものである。その為、位置情報提供装置１２は、提供元端末番号として移動端末１０５の電話番号を、提供先端末番号として端末２０の電話番号を取得する。
【００７３】
次に、位置情報提供装置１２は、上述のＳ１２で取得した提供元端末番号の端末について、その位置情報（セルＩＤ）等を提供先端末番号の端末に通知する（Ｓ１３）。
【００７４】
具体的には、位置情報提供装置１２の登録情報検索機能部１２３が、Ｓ１２で取得したセルＩＤ（セル１０のセルＩＤ）と提供元端末番号（移動端末１０５の電話番号）を含むメッセージを作成する。ここで、登録情報検索機能部１２３は、「（２−４）位置情報提供装置１２の各部位の機能」に上述した通り、一般的な交換機と同様、入力された電話番号を基に、その番号の端末と接続する交換機能を備える。登録情報検索機能部１２３は、自身に備わる交換機能によって、提供先端末番号、すなわち端末２０の電話番号を基に端末２０と接続する。登録情報検索機能部１２３は、接続した端末２０に、作成したメッセージを端末２０に通知する。なお、登録情報検索機能部１２３は、取得した震災情報も上述メッセージに含めてもよい。
【００７５】
次に、端末２０は、セルＩＤと提供元端末番号を含むメッセージを位置情報提供装置１２から受信すると、セルＩＤと提供元端末番号を取得し、それらを自身に備わる画面上に表示する（Ｓ１４）。
【００７６】
具体的には、端末２０は、セル１０のセルＩＤと移動端末１０５の電話番号を含むメッセージを位置情報提供装置１２から受信すると、セル１０のセルＩＤと移動端末１０５の電話番号を取得し、それらを自身に備わる画面上に表示する。
【００７７】
被災者の親は、端末２０の画面上の表示を見て、表示された電話番号の息子や娘がセルＩＤの示すセルにいることが分かる。すなわち、被災者の親や知人は、被災者の位置情報を知ることができる。
【００７８】
なお、端末２０には、本実施形態の位置情報提供システムのユーザによって、セルＩＤに対応する具体的な地域名等が予め設定されていてもよい。この場合、端末２０は、上述のＳ１４においてセルＩＤと提供元端末番号を取得した後、セルＩＤに対応する地域名（例えば、三田）を求め、「ｘｘｘ（提供元端末番号）の端末をもつ方が、現在三田（求めた地域名）周辺で被災しています。」等と画面に表示してもよい。さらに、端末２０は、提供元端末番号が電話番号であれば、端末２０に記憶されている電話帳から提供元端末番号に対応する個人名を取得してもよい。この場合、端末２０は、「○○（取得した個人名）さんは、現在三田（求めた地域名）周辺で被災しています。」と表示することができる。さらに、端末２０には、震度情報に対応する予想震度が、本実施形態の位置情報提供システムのユーザによって、予め設定されていてもよい。この場合、端末２０は、受信したメッセージに震度情報が含まれるときには、震度情報に対応する予想震度を求め、「○○（取得した個人名）さんは、現在三田（求めた地域名）周辺で被災しています。三田周辺の予想震度はｘｘです。」と表示することができる。なお、端末２０は、震度情報を直接、画面に表示してもよい。
【００７９】
次に、位置情報提供装置１２は、セルＩＤと提供先端末番号を含むメッセージを、提供元端末番号の端末、すなわち移動端末１０５に通知する（Ｓ１５）。
【００８０】
具体的には、登録情報検索機能部１２３が、セル１０のセルＩＤと端末２０の電話番号を含む移動端末１０５宛のメッセージを作成し、セル１０のセルＩＤと共に、送受信制御機能部１２４に出力する。ここで、送受信制御機能部１２４には、上述のＳ５で記載した通り、セルＩＤと、セルＩＤに対応するセルを備える基地局とが対応づけられたテーブルが設定されている。送受信制御機能部１２４は、セル１０のセルＩＤと共に、移動端末１０５宛のメッセージが入力されると、上述のテーブルから、セル１０のセルＩＤに対応する基地局１００を求め、求めた基地局１００に対し、移動端末１０５宛のメッセージを出力する。基地局１００は、移動端末１０５宛のメッセージを受信すると、移動端末１０５に通知する。
【００８１】
移動端末１０５は、セルＩＤと提供先端末番号を含むメッセージを位置情報提供装置１２から受信すると、提供先端末番号の端末２０に自身の位置情報が通知されたことを、自身に備わる画面上に表示する（Ｓ１６）。
【００８２】
次に、基地局１１０が、Ｐ波を検出すると、上述のＳ１０を実施し、セルＩＤを含むＰ波検出メッセージを位置情報提供装置１２に出力する。位置情報提供装置１２は、Ｐ波検出メッセージを受信すると、基地局１１０のセルに在圏する端末について上述のＳ１１〜Ｓ１３、Ｓ１５、すなわち位置情報通知処理を実施する。位置情報提供装置１２は、基地局１１０のセルに在圏する端末について、基地局１００のセルに在圏する端末と時間差をおいて位置情報通知処理を実施することができる。
【００８３】
なお、上述の提供元端末番号は、移動端末１０５を一意に識別できる情報であれば、番号に限らない。提供先端末番号も、地震発生時に位置情報を提供する端末を一意に識別できる情報であれば、番号に限らない。
【００８４】
［効果の説明］
本実施形態によれば、位置情報提供システムは、地震発生時、位置情報提供装置に負荷が集中しないように被災者の位置情報を、被災者の親や知人等の端末に提供することができる。その理由を以下に説明する。
【００８５】
まず、本実施形態の位置情報提供システムでは、地震発生時、震源に近いセルの基地局から順番に、時間差をおいてセルＩＤが位置情報提供装置に通知される。各基地局は、Ｐ波を感知したことを契機に、セルＩＤを位置情報提供装置に通知するからである。なお、各基地局のセル半径が３．５ｋｍである場合には、Ｐ波の速度が約７ｋｍ／秒である為、セルＩＤが１秒毎に各基地局から位置情報提供装置に通知される。位置情報提供装置は、セルＩＤが通知されると、セルＩＤが示すセルに在圏する端末について位置情報通知処理を実施する為、震源により近いセルに在圏する端末から順番に、時間差をおいて位置情報通知処理を実施することとなる。位置情報通知処理とは、[発明が解決しようとする課題]に上述した通り、登録された親や知人等の端末に位置情報を送信する処理である。その結果、位置情報提供装置は、全端末同時に位置情報通知処理を実施することがないので、位置情報提供システムは、位置情報提供装置に負荷が集中しないようにしながら位置情報を親や知人等の端末に提供することができる。
【００８６】
さらに、本実施形態の位置情報提供システムは、Ｐ波を検出したことを契機に動作を開始するので、その後、実際に大きな揺れを発生し、移動通信ネットワークが輻輳する前に、位置情報を親や知人等の端末に提供することができる。
【００８７】
［第２の実施の形態］
次に、本発明の第２の実施の形態について説明する。第２の実施の形態の位置情報提供システムは、本実施形態の移動端末を保持する被災者が震源から近い場所にいるとき、被災者の親等の端末に、被災者が震源に近い場所にいることを通知するものである。
【００８８】
［構成の説明］
まず、第２の実施の形態の位置情報提供システムの構成と機能について説明を行う。
【００８９】
（１）本発明の第２の実施の形態における位置情報提供システムの構成
（１−１）本実施形態の位置情報提供システムの構成
図９は、本発明の第２の実施の形態における位置情報提供システムの構成例を示す図である。第２の実施の形態における位置情報提供システムは、図９に示されるように、位置情報提供装置１２の代わりに、位置情報提供装置２２を備える。また、第２の実施の形態における位置情報提供システムは、基地局１００、１１０の代わりに、基地局２００、２１０を備える。さらに、第２の実施の形態における位置情報提供システムは、端末２０の代わりに、端末３０を備える。
【００９０】
次に、位置情報提供装置２２について、その構成を説明する。
【００９１】
（１−２）本実施形態の位置情報提供システムに備わる位置情報提供装置２２の構成
まず、位置情報提供装置２２は、図９に示されるように、位置情報通知機能部１２０の代わりに、位置情報通知機能部２２０を備える。図１０に、位置情報通知機能部２２０の構成例を示す。
【００９２】
位置情報通知機能部２２０は、図１０に示されるように、緊急情報受信機能部１２１と登録情報検索機能部１２３の代わりに、緊急情報受信機能部２２１と登録情報検索機能部２２３を備える。さらに、位置情報通知機能部２２０は、輻輳制御部２２６を備える。
【００９３】
輻輳制御部２２６は、図示していないが、他の機能部と互いに接続される。また、緊急情報受信機能部２２１、登録情報検索機能部２２３、および輻輳制御部２２６は、基地局２００、２１０と接続される。さらに、登録情報検索機能部２２３は、通信ネットワーク２の端末３０とも接続される。
【００９４】
次に、基地局２００、２１０の構成について説明する。基地局２００、２１０は、同じ構成を備えるので、基地局２００についてだけ説明を行う。図１１は、本発明の第２の実施の形態における位置情報提供システムに備わる基地局２００の構成例を示す図である。
【００９５】
（１−３）基地局２００の構成
基地局２００は、図１１に示されるように、Ｐ波測定部１０１の代わりに、Ｐ波測定部２０１を備える。さらに、基地局２００は、Ｓ波測定部２０２と、震源距離測定部２０３も備える。
【００９６】
震源距離測定部２０３は、Ｐ波測定部２０１とＳ波測定部２０２に接続される。
【００９７】
次に、本実施形態の位置情報提供システムを構成する各部位の機能について説明する。
【００９８】
（２）本実施形態における位置情報提供システムを構成する各部位の機能
（２−１）基地局２００、２１０の各部位の機能
基地局２００と基地局２１０は、同じ機能を備えるので、基地局２００についてのみ説明を行う。
【００９９】
基地局２００のＰ波測定部２０１は、Ｐ波を感知する機能を有する。Ｐ波測定部２０１は、Ｐ波を感知すると、所定値以上の振幅のＰ波ならば、Ｐ波を検出した旨のメッセージ（以下、「Ｐ波検出メッセージ」という）を位置情報提供装置２２に出力する。上述の所定値は、本実施形態の位置情報提供システムのユーザによって、予め基地局２００に設定される。また、Ｐ波測定部２０１は、Ｐ波検出メッセージに、基地局２００のセル１０に対応するセルＩＤと、Ｐ波の振幅（以下、「震度情報」という）を含める。さらに、Ｐ波測定部２０１は、Ｐ波検出メッセージを位置情報提供装置２２に出力した後、タイマ開始を要求する信号を出力する。
【０１００】
基地局２００のＳ波測定部２０２は、Ｓ波（Ｓｅｃｏｎｄａｒｙ  Ｗａｖｅ）を感知する機能を有する。Ｓ波測定部２０２は、Ｓ波を感知すると、所定値以上の振幅のＳ波ならば、タイマ停止を要求する信号を出力する。上述の所定値は、本実施形態の位置情報提供システムのユーザによってＳ波測定部２０２に設定される。さらに、Ｓ波測定部２０２は、タイマ開始を要求する信号を出力した後、Ｓ波を検出した旨のメッセージ（以下、「Ｓ波検出メッセージ」という）を位置情報提供装置２２に出力する。
【０１０１】
基地局２００の震源距離測定部２０３は、計時機能を有し、タイマ開始を要求する信号が入力されてから、タイマ停止を要求する信号が入力されるまでの時間を計測する。震源距離測定部２０３は、計測した時間を基に、基地局２００の震源からの距離を算出する。震源からの距離の算出の仕方は、以下の［動作の説明］で詳細に記載する。震源距離測定部２０３は、震源からの距離が所定距離以下ならば、基地局２００のセルは震源に近いと判断する。震源距離測定部２０３は、基地局２００のセルは震源に近いと判断すると、基地局２００のセルは震源に近いことを示すメッセージを作成し、出力する。なお、震源距離測定部２０３は、基地局２００のセルは震源に近いことを示すメッセージに、基地局２００に備わるセルに対応するセルＩＤと、震源からの距離も含める。震源距離測定部２０３は、発信規制を要求するメッセージが入力されると、発信規制を行う。具体的には、震源距離測定部２０３は、一般的な移動端末１００から基地局２００へのメッセージを受信することを規制し、基地局２００から移動端末１００へのメッセージを発信することは規制しない。
【０１０２】
（２−２）位置情報提供装置２２の各部位の機能
次に、位置情報提供装置２２の各部位の機能について説明を行う。
【０１０３】
緊急情報受信機能部２２１は、上述のＳ波検出メッセージが基地局２００から入力されると、そのメッセージを出力する。
【０１０４】
登録情報検索機能部２２３は、上述の基地局２００のセルは震源に近いことを示すメッセージが基地局２００から入力されると、そのメッセージに含まれるセルＩＤと震源からの距離を抽出する。登録情報検索機能部２２３は、通知先登録テーブル格納部１２５に格納されている通信先登録テーブルを読み出す。登録情報検索機能部２２３は、通信先登録テーブルを読み出すと、読み出した通信先登録テーブルから、抽出したセルＩＤに対応づけられている提供元端末番号と提供先端末番号を取得する。登録情報検索機能部２２３は、取得した提供先端末番号の端末に対し、提供元端末番号の端末が震源に近い場所にいることを示すメッセージ（以下、「被災者震源近距離メッセージ」という）を提供先端末番号の端末宛に出力する。なお、登録情報検索機能部２２３は、出力するメッセージに、セルＩＤ、震源からの距離、提供元端末番号を含める。
【０１０５】
輻輳制御部２２６は、上述のＳ波検出メッセージが入力されると、発信規制を要求するメッセージを出力する。
【０１０６】
（２−３）端末３０の機能
端末３０は、上述の被災者震源近距離メッセージを位置情報提供装置２２から受信すると、そのメッセージからセルＩＤ、震源からの距離、および提供元端末番号を抽出し、提供元端末番号の端末が震源から近い場所にいることを、自身に備わる画面上に表示する。端末３０は、抽出したセルＩＤ、震源からの距離、および提供元端末番号も併せて、自身の画面上に表示してもよい。端末３０は、端末２０と同様、被災者の親や知人の端末であるものとして説明を行う。
【０１０７】
なお、上述した以外の構成や機能は、第１の実施の形態のおける位置情報提供システムと同じであるので、同一の符号を付して説明を省略する。
【０１０８】
［動作の説明］
図１２は、本発明の第２の実施の形態における位置情報提供システムの動作（地震発生時の動作）を説明する為の図である。本実施形態における位置情報提供システムの動作を、図１２を用いて、以下に説明する。
【０１０９】
まず、基地局２００のＰ波測定部２０１は、Ｐ波を感知すると、図１２に示されるように、Ｐ波検出メッセージを位置情報提供装置２２に出力する（Ｓ２０）。さらに、図示していないが、基地局２００のＰ波測定部２０１は、基地局２００の震源距離測定部２０３に対し、タイマ開始を要求する信号を出力する。
【０１１０】
次に、図示していないが、基地局２００の震源距離測定部２０３は、タイマ開始を要求する信号がＰ波測定部２０１から入力されると、自身に備わる計時機能を用い、時間の計測を開始する。
【０１１１】
次に、基地局２００のＳ波測定部２０２は、Ｓ波を感知すると、所定値以上の振幅のＳ波ならば、Ｓ波を検出した旨のメッセージ（以下「Ｓ波検出メッセージ」という）を位置情報提供装置２２に出力する（Ｓ２１）。
【０１１２】
上述の所定値は、本実施形態の位置情報提供システムのユーザによってＳ波測定部２０２に設定される。
【０１１３】
さらに、基地局２００のＳ波測定部２０２は、図示していないが、タイマ停止を要求する信号を、基地局２００の震源距離測定部２０３に出力する。
【０１１４】
次に、基地局２００の震源距離測定部２０３は、図示していないが、タイマ停止を要求する信号がＳ波測定部２０２から入力されると、時間の計測を停止する。ここで計測された時間は、タイマ開始を要求する信号が入力されてから、タイマ停止を要求する信号が入力されるまでの時間、すなわち基地局２００がＰ波を感知してからＳ波を感知するまでの時間である。
【０１１５】
次に、基地局２００の震源距離測定部２０３は、計測した時間を基に、基地局２００の震源からの距離を算出する（Ｓ２２）。
【０１１６】
具体的には、基地局２００の震源距離測定部２０３は、計測した時間をＡ[秒]、Ｐ波の速度をＢ［ｋｍ／秒］、Ｓ波の速度をＣ［ｋｍ／秒］とすると、Ａ×Ｂ×Ｃ／（Ｂ−Ｃ）を計算することで、震源からの距離Ｘ[ｋｍ]を算出する。計測した時間Ａ、Ｐ波の速度Ｂ、Ｓ波の速度Ｃには、Ｘ／Ｂ＋Ａ＝Ｘ／Ｃの関係が成り立つからである。上述のＰ波の速度Ｂ［ｋｍ／秒］、Ｓ波の速度Ｃ［ｋｍ／秒］は、本実施形態の位置情報提供システムのユーザによって、基地局２００の震源距離測定部２０３に設定される。
【０１１７】
一方、Ｓ波検出メッセージを基地局２００から受信した位置情報提供装置２２は、発信規制を要求する信号を基地局２００に出力する（Ｓ２３）。
【０１１８】
具体的には、位置情報提供装置２２の緊急情報受信機能部２２１が、Ｓ波検出メッセージを受信すると、そのメッセージを輻輳制御部２２６に出力する。輻輳制御部２２６は、Ｓ波検出メッセージが入力されると、発信規制を要求する信号を基地局２００に出力する。
【０１１９】
次に、基地局２００の震源距離測定部２０３は、発信規制を要求するメッセージが位置情報提供装置２２から入力されると、発信規制を行う（Ｓ２４）。
【０１２０】
具体的には、震源距離測定部２０３は、一般的な移動端末１００から基地局２００へのメッセージを受信することを規制し、基地局２００から移動端末１００へのメッセージを発信することは規制しない。
【０１２１】
なお、基地局２００の震源距離測定部２０３は、所定値以上の振幅のＳ波を感知したら、Ｓ波検出メッセージを位置情報提供装置２２に出力せず、自分で発信規制を実施してもよい。
【０１２２】
次に、基地局２００の震源距離測定部２０３は、上述のＳ２２で算出した震源からの距離が、所定距離以下かどうかを判定する（Ｓ２５）。
【０１２３】
次に、基地局２００の震源距離測定部２０３は、図示していないが、震源からの距離が所定距離以下の場合（Ｓ２５でＹｅｓの場合）には、基地局２００のセルは震源に近いと判断する。
【０１２４】
次に、基地局２００の震源距離測定部２０３は、基地局２００のセルは震源に近いと判断すると、基地局２００のセルは震源に近いことを示すメッセージを作成し、位置情報提供装置２２に出力する（Ｓ２６）。このとき、基地局２００の震源距離測定部２０３は、基地局２００のセルは震源に近いことを示すメッセージに、基地局２００に備わるセルに対応するセルＩＤと震源からの距離を含める。
【０１２５】
なお、基地局２００の震源距離測定部２０３は、震源からの距離が所定距離以下でない場合（Ｓ２５でＮｏの場合）には、新たな処理を特に実施せず、次にＰ波、若しくはＳ波を検知するのを待つ。
【０１２６】
次に、位置情報提供装置２２の登録情報検索機能部２２３は、図示していないが、基地局２００のセルは震源に近いことを示すメッセージが基地局２００から入力されると、そのメッセージに含まれるセルＩＤと、震源からの距離を抽出する。
【０１２７】
次に、位置情報提供装置２２の登録情報検索機能部２２３は、セルＩＤと震源からの距離を抽出すると、図示していないが、上述のＳ１２の処理を行う。すなわち、登録情報検索機能部２２３は、通知先登録テーブル格納部１２５に格納されている通信先登録テーブルを読み出す。登録情報検索機能部２２３は、通信先登録テーブルを読み出すと、読み出した通信先登録テーブルにおいて、抽出したセルＩＤに対応づけられている提供元端末番号と提供先端末番号を取得する。
【０１２８】
次に、位置情報提供装置２２の登録情報検索機能部２２３は、取得した提供先端末番号の端末、すなわち端末３０に対し、提供元端末番号の端末が震源に近い場所にいることを示す被災者震源近距離メッセージを出力する（Ｓ２７）。なお、位置情報提供装置２２の登録情報検索機能部２２３は、出力するメッセージに、抽出したセルＩＤ、震源からの距離、提供元端末番号を含める。
【０１２９】
次に、端末３０は、被災者震源近距離メッセージを位置情報提供装置２２から受信すると、そのメッセージからセルＩＤ、震源からの距離、および提供元端末番号を抽出し、提供元端末番号の端末が震源から近い場所にいることを、自身の画面上に表示する（Ｓ２８）。なお、端末３０は、抽出したセルＩＤ、震源からの距離、および提供元端末番号も併せて、自身の画面上に表示してもよい。
【０１３０】
さらに、端末３０には、本実施形態の位置情報提供システムのユーザによって、セルＩＤに対応する地域名等が予め設定されていてもよい。この場合、端末３０は、抽出したセルＩＤに対応する地域名（例えば三田）を求め、「ｘｘｘ（提供元端末番号）の端末をもつ方が、震源に近い場所、三田（求めた地域名）にいます。三田（求めた地域名）は、震源から○○（抽出した震源からの距離）の距離です」と表示する。
【０１３１】
その他の動作については、第１の実施の形態の動作と同様である為、詳細の説明を省略する。
【０１３２】
また、上記では、基地局のセルは１つ備える場合を記載したが、２つ以上のセルを備えてもよい。その場合、基地局は、セル毎にＰ波測定部、Ｓ波測定部、震源距離測定部を備える。さらに、基地局や移動端末の台数は２台に限らない。基地局や移動端末の台数は、１台であってもよいし、３台以上であってもよい。
【０１３３】
［効果の説明］
本実施形態によれば、位置情報提供システムは、移動端末を持つ被災者が震源から近い場所にいるとき、被災者の親等が持つ端末に、被災者が震源に近い場所にいることを通知することができる。その理由として、本実施の形態の位置情報提供システムは、移動端末が在圏するセルの震源からの距離を算出し、算出した距離が所定距離以下である場合に、被災者の親等が持つ端末宛に、被災者が震源に近い場所にいることを通知するからである。
【０１３４】
［第３の実施の形態］
次に、本発明の第３の実施の形態について説明する。
【０１３５】
［構成の説明］
図１３は、本発明の第３の実施の形態における位置情報提供システムの構成例を示す図である。
【０１３６】
第３の実施の形態における位置情報提供システムは、図１３に示されるように、複数の基地局と位置情報提供装置を備える。各基地局は、位置情報提供装置に接続される。
【０１３７】
各基地局は、Ｐ波を感知すると、基地局配下のセルに対応する識別子、すなわちセルＩＤを含むメッセージを出力する。
【０１３８】
位置情報提供装置は、接続された基地局からセルＩＤを含むメッセージが入力されると、そのセルＩＤに予め対応づけて登録されている、第１の端末の識別情報と第２の端末の識別情報を取得する。
【０１３９】
ここで、上述の第１の端末は、セルＩＤを含むメッセージを出力した基地局のセルに在圏する端末である。また、上述の第１の端末の識別情報と第２の端末の識別情報は、第１の端末のユーザによって、自身が在圏するセルのセルＩＤと対応づけて位置情報提供装置に予め設定される。第１の端末のユーザは、第１の端末の識別情報として第１の端末の電話番号を設定し、さらに、第２の端末の識別情報として、自身の親や知人の端末の電話番号を設定してもよい。
【０１４０】
位置情報提供装置は、第１の端末の識別情報と第２の端末の識別情報を取得すると、第２の端末に対して、セルＩＤと第１の端末の識別情報を含むメッセージを出力する。
【０１４１】
[動作の説明]
まず、各基地局は、地震発生により、Ｐ波を感知すると、基地局配下のセルに対応する識別子、すなわちセルＩＤを含むメッセージを位置情報提供装置に出力する。
【０１４２】
このとき、震源に近い基地局から順番に、時間差をおいて、セルＩＤを含むメッセージが位置情報提供装置に出力される。震源に近い基地局から順番にＰ波が到達するからである。
【０１４３】
次に、位置情報提供装置は、セルＩＤを含むメッセージが基地局から入力されると、そのセルＩＤに予め対応づけて登録されている、第１の端末の識別情報と第２の端末の識別情報を取得する。
【０１４４】
ここで、第１の端末は、［構成の説明］欄に上述した通り、セルＩＤを含むメッセージを出力した基地局のセルに在圏する端末である。また、上述の第１の端末の識別情報と第２の端末の識別情報は、第１の端末のユーザによって、自身が在圏するセルのセルＩＤと対応づけて位置情報提供装置に予め設定される。第１の端末のユーザは、第１の端末の識別情報として第１の端末の電話番号を設定し、さらに、第２の端末の識別情報として、自身の親や知人の端末の電話番号を設定してもよい。
【０１４５】
次に、位置情報提供装置は、第１の端末の識別情報と第２の端末の識別情報を取得すると、第２の端末に対して、セルＩＤと第１の端末の識別情報を含むメッセージを出力する。
【０１４６】
その結果、第２の端末のユーザは、第１の端末のユーザがセルＩＤに対応する場所にいることを知ることができる。
【０１４７】
位置情報提供装置は、セルＩＤを含むメッセージが基地局から入力される度に、上述した、セルＩＤから第１の端末の識別情報と第２の端末の識別情報を取得し、第２の端末に対し、セルＩＤと第１の端末の識別情報を含むメッセージを出力する処理を順番に行う。
【０１４８】
［効果の説明］
本実施形態によれば、位置情報提供システムは、地震発生時、位置情報提供装置に負荷が集中しないように被災者の位置情報を、被災者の親や知人等の端末に提供することができる。その理由を以下に説明する。
【０１４９】
まず、本実施形態の位置情報提供システムでは、地震発生時、震源に近いセルの基地局から順番に、時間差をおいてセルＩＤが位置情報提供装置に通知される。各基地局は、Ｐ波を感知したことを契機に、セルＩＤを位置情報提供装置に通知するからである。位置情報提供装置は、セルＩＤが通知されると、セルＩＤが示すセルに在圏する端末について位置情報通知処理を実施する為、震源により近いセルに在圏する端末から順番に、時間差をおいて位置情報通知処理を実施することとなる。位置情報通知処理とは、[発明が解決しようとする課題]に上述した通り、登録された親や知人等の端末に位置情報を送信する処理である。その結果、位置情報提供装置は、全端末同時に位置情報通知処理を実施することがないので、位置情報提供システムは、位置情報提供装置に負荷が集中しないようにしながら位置情報を親や知人等の端末に提供することができる。
【０１５０】
さらに、本実施形態の位置情報提供システムは、Ｐ波を検出したことを契機に動作を開始するので、その後、実際に大きな揺れを発生し、移動通信ネットワークが輻輳する前に、位置情報を親や知人等の端末に提供することができる。
【０１５１】
なお、上述した実施の形態は、その形態に限定されるものではなく、実施段階ではその要旨を逸脱しない範囲で種々変更可能である。
【０１５２】
さらに、上記の各実施形態の一部又は全部は、以下の付記のようにも記載されうるが、以下には限られない。
（付記１）
Ｐ波（Ｐｒｉｍａｒｙ  Ｗａｖｅ）を感知すると、配下のセルに対応する識別子、すなわちセルＩＤを含む第１のメッセージを出力する、
ことを特徴とする基地局。
（付記２）
前記Ｐ波を感知してからＳ波（Ｓｅｃｏｎｄａｒｙ  Ｗａｖｅ）を感知するまでの時間を計測し、計測した前記時間を基に、震源からの距離を算出し、前記震源からの距離が所定距離以下の場合に、前記セルＩＤを含んだ、震源に近いことを示す第２のメッセージを出力する、
ことを特徴とする付記１に記載の基地局。
（付記３）
前記震源に近いことを示す第２のメッセージに、前記震源からの距離を含める、
ことを特徴とする付記２に記載の基地局。
（付記４）
接続された基地局から前記基地局配下のセルに対応する識別子、すなわちセルＩＤを含む第１のメッセージが入力されると、予め前記セルＩＤに対応づけて登録されている、前記セルに在圏する第１の端末の識別情報と第２の端末の識別情報を取得し、前記第２の端末に対して、前記セルＩＤと前記第１の端末の識別情報を含む第３のメッセージを出力する、
ことを特徴とする位置情報提供装置。
（付記５）
前記セルＩＤを含んだ、前記震源に近いことを示す第２のメッセージが入力されると、予め前記セルＩＤに対応づけて登録されている前記第１の端末の識別情報と前記第２の端末の識別情報を取得し、前記第２の端末に対して、前記第１の端末が震源に近い場所にいることを示す第４のメッセージを出力する、
ことを特徴とする付記４に記載の位置情報提供装置。
（付記６）
前記位置情報提供装置は、移動通信システムのコアネットワーク上に配置され、移動通信端末の位置情報を管理する装置、又は、前記位置情報を管理する装置に接続された装置である、
ことを特徴とする付記４乃至５のいずれか１項に記載の位置情報提供装置。
（付記７）
複数の基地局各々と接続された位置情報提供装置を備える位置情報提供システムであって、
前記基地局は、付記１乃至３のいずれか１項に記載の基地局であり、
前記位置情報提供装置は、付記４乃至６のいずれか１項に記載の位置情報提供装置である、
ことを特徴とする位置情報提供システム。
（付記８）
前記第１の端末は、自身が在圏するセルに対応する識別子、すなわちセルＩＤを検出し、前記第１の端末を示す識別情報、および前記第２の端末を示す識別情報が入力されると、前記セルＩＤ、前記第１の端末を示す識別情報、および前記第２の端末を示す識別情報を含む位置情報登録要求メッセージを前記基地局に出力し、
前記基地局は、前記位置情報登録要求メッセージが入力されると、前記位置情報登録要求メッセージを前記位置情報提供装置に出力し、
前記位置情報提供装置は、入力される前記位置情報登録要求メッセージから前記セルＩＤ、前記第１の端末を示す識別情報、および前記第２の端末を示す識別情報を抽出し、前記セルＩＤに、前記第１の端末を示す識別情報と前記第２の端末を示す識別情報とを対応づけて記憶媒体に登録する、
ことを特徴とする付記７に記載の位置情報提供システム。
（付記９）
前記位置情報提供システムは、前記位置情報提供装置と通信を行う提供先端末を備え、
前記提供先端末は、前記セルＩＤと前記端末の識別情報を含む前記第３のメッセージが入力されると、前記セルＩＤと前記端末の識別情報を、自身に備わる画面上に表示する、
ことを特徴とする付記７乃至８のいずれか１項に記載の位置情報提供システム。
（付記１０）
Ｐ波を感知した基地局から、前記基地局配下のセルに対応する識別子、すなわちセルＩＤが入力されると、予め前記セルＩＤに対応づけて登録されている、前記セルに在圏する第１の端末の識別情報と第２の端末の識別情報を取得し、前記第２の端末に対し、前記セルＩＤと前記第１の端末の識別情報を含むメッセージを出力する、
ことを特徴とする位置情報提供方法。
（付記１１）
前記位置情報提供装置は、ｘＧＳＮ（Ｓｅｒｖｉｎｇ／ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）、又は、ＭＭＥ（Ｍｏｂｉｌｉｔｙ  Ｍａｎａｇｅｍｅｎｔ  Ｅｎｔｉｔｙ）、又は、前記コアネットワークに接続されたサーバである、
ことを特徴とする付記４乃至６のいずれか１項に記載の位置情報提供装置。
（付記１２）
前記提供先端末は、前記第１の端末が震源に近い場所にいることを示す前記第４のメッセージが入力されると、前記第１の端末が震源に近い場所にいることを、自身に備わる画面上に表示する、
ことを特徴とする付記７乃至９のいずれか１項に記載の位置情報提供システム。
（付記１３）
前記第１のメッセージに、前記Ｐ波の振幅、すなわち震度情報を含めて出力する、
ことを特徴とする付記１乃至３のいずれか１項に記載の基地局。
（付記１４）
前記第１のメッセージにＰ波の振幅、すなわち震度情報が含まれていると、前記第３のメッセージに前記震度情報を含めて出力する、
ことを特徴とする付記４乃至６、又は付記１１のいずれか１項に記載の位置情報提供装置。
（付記１５）
前記提供先端末は、前記セルＩＤと前記端末の識別情報を含む前記第３のメッセージに、Ｐ波の振幅、すなわち震度情報が含まれていると、前記セルＩＤ、前記端末の識別情報、および前記震度情報を、自身に備わる画面上に表示する、
ことを特徴とする付記９に記載の位置情報提供システム。
【符号の説明】
【０１５３】
１    移動通信ネットワーク
２    通信ネットワーク
１０    セル
１１    セル
１２    位置情報提供装置
２０    端末
２２    位置情報提供装置
３０    端末
１００    基地局
１０１    Ｐ波測定部
１０５    移動端末
１１０    基地局
１１５    移動端末
１２０    位置情報通知機能部
１２１    緊急情報受信機能部
１２２    登録制御機能部
１２３    登録情報検索機能部
１２４    送受信制御機能部
１２５    通知先登録テーブル格納部
２００    基地局
２０１    Ｐ波測定部
２０２    Ｓ波測定部
２０３    震源距離測定部
２１０    基地局
２２０    位置情報通知機能部
２２１    緊急情報受信機能部
２２３    登録情報検索機能部
２２６    輻輳制御部
【図１】
2014192786.tif 000003
【図２】
2014192786.tif 000004
【図３】
2014192786.tif 000005
【図４】
2014192786.tif 000006
【図５】
2014192786.tif 000007
【図６】
2014192786.tif 000008
【図７】
2014192786.tif 000009
【図８】
2014192786.tif 000010
【図９】
2014192786.tif 000011
【図１０】
2014192786.tif 000012
【図１１】
2014192786.tif 000013
【図１２】
2014192786.tif 000014
【図１３】
2014192786.tif 000015